(57)【要約】【課題】首回りや腰回り、或いは頭部等に対して種々の形態でもって簡単に装着することができると共に着用中に形崩れなどが生じることなくその装着形態を保持して優れたファッション機能を発揮することができるスカーフを提供する。【解決手段】方形状のスカーフ本体１の対角線上の両隅角部に、これらの隅角部を紐状に収束させることによって環体３とこの環体３に係脱自在に係止するフック４とを結び付け、スカーフ本体１を対角線から二つ折りして二等辺三角形状に形成し、これを首回りに巻き付けたり頭部に被せた状態にして環体３にフック４を連結することによってその形態を保持する。また、スカーフ本体１の一辺における両端部に上記環体３とフック４とを取付けた状態にして腰回り等に装着することもできる。【選択図】図１
0003168870.tif 000002
【実用新案登録請求の範囲】
【請求項１】
方形状のスカーフ本体と、このスカーフ本体の四方隅角部における２つの隅角部に、該隅角部を結び付けることによって取り外し可能に取付けられた互いに係脱可能な留め金具とからなることを特徴とするスカーフ。
【請求項２】
留め金具はフックと、このフックを係脱自在に係合させる環体とから構成してなり、環体とフックのリング部とにスカーフ本体の二つの隅角部をそれぞれ紐状に収束して結び付けることにより取付けていることを特徴とする請求項１に記載のスカーフ。
【請求項３】
環体とフックのリング部とにその隅角部から挿通するスカーフ本体の両側部におけるこれらの環体とフックのリング部からの引き出し長さを調節可能に形成していることを特徴とする請求項２に記載のスカーフ。
【考案の詳細な説明】
【技術分野】
【０００１】
本考案は、身体の首回り等に装着して衣装を彩るスカーフに関するものである。
【背景技術】
【０００２】
従来から、スカーフはファション用としてさらには防寒用、日焼け防止用等として広く使用されているが、絹等の非常に滑り易い柔軟な薄い生地から形成されているために、保形性が悪くて身体に装着しても形崩れをおこしてずれ落ちたりする虞れがある。
【０００３】
このため、例えば、特許文献１に記載されているように、方形状のスカーフ本体の一つの隅角部からスカーフ本体の中心部寄りの対角線上に挿通孔を穿設しておき、該対角線を折り曲げ線としてこのスカーフを二つ折りして首等に巻き付け、上記一つの隅角部に対して対角線上で対向する他方の隅角部を上記挿通孔に挿通した状態にすることによってその形態を保持しておくことができるスカーフが考案されている。
【０００４】
さらに、特許文献２には、二等辺三角形状のスカーフの両側部に、表面にベルベット式ファスナー等の留め具をそれぞれ取付けている筒状体を糸等によって取り付けておき、使用時にはこのスカーフの両側端部をそれぞれ対応する筒状体に挿通して該筒状体から両側端部を所定量だけ引き出し、この状態にして首に巻き付けたのち、筒状体どうしを上記留め具によって連結することにより、圧迫感を与えることなく装着できるように構成したスカーフが記載されている。
【０００５】
また、特許文献３には、方形状のスカーフ本体の四方の隅角部に錘を設けたスカーフが開示されてあり、このスカーフによれば着用した際に、スカーフの端部が風等によって舞い上がるのを防止すると共に自然な襞と弛みを保持した着用感のよいスカーフを得ることができるとされている。
【先行技術文献】
【特許文献】
【０００６】
【特許文献１】特開平８−８１８０９号公報
【特許文献２】実公平３−５４１０４号公報
【特許文献３】実開平５−３７９１４号公報
【考案の概要】
【考案が解決しようとする課題】
【０００７】
しかしながら、特許文献１に記載のスカーフによれば、方形状のスカーフ本体の一つの隅角部からスカーフ本体の中心部寄りの対角線上に挿通孔を穿設しておき、この挿通孔に上記隅角部に対して対角線上で対向する他方の隅角部を挿通して首等に巻き付けた状態にして装着するものであるから、挿通孔が小さいと、該挿通孔にスカーフ本体の隅角部を挿通するのに手間を要するばかりでなく、挿通孔からの引き出し長さが大きくなるに従って挿通孔を無理に押し拡げようとする力が発生して挿通孔が破れる虞れがある一方、挿通孔が大きいと、挿通したスカーフ本体の隅角部に対する保持力が低下してスタイルが形崩れするばかりでなく、着用形態によって隅角部が挿通孔から抜け出る事態が生じる虞れがある。また、スカーフ本体にこのような挿通孔を設けておくと、スカーフとしての本来の意匠的外観を損なうことになり、商品価値が低下するといった問題点がある。
【０００８】
同様に、上記特許文献２に記載のスカーフにおいても、二等辺三角形状のスカーフの両側部に取り付けている筒状体にスカーフの両側端部をそれぞれ挿通した状態にして首に巻き付けるように構成しているため、筒状体からのスカーフ両側端部の引き出し長さを調節して首に対する圧迫感が生じないにようにすることができるが、筒状体によるスカーフ両側端部の保持力が弱くてスカーフの取付位置がずれ易くなり、装着した形態を保持することができなくなる虞れがあると共に筒状体によって外観が損なわれて高級感のイメージをかもしだすことができないといった問題点がある。
【０００９】
一方、上記特許文献３によれば、方形状のスカーフ本体の四方の隅角部に錘を設けているので、この錘を優れた装飾性を発揮する物品から形成しておくことによって高級感のあるスカーフを提供することができるが、錘では着用中における風などによるスカーフの舞い上がりを防止することができても、錘の重量によってスカーフの四方の隅角部がそれぞれ単独的に揺動して当初の着用した形態を保持することができなくなる虞れがあり、これをなくするには、スカーフ本体の対角線上に対向する隅角部同士、或いは、隣接する隅角部同士を結着する必要が生じ、錘が邪魔になってその操作が煩わしくなるといった問題点がある。また、スカーフ本体の四隅部に錘を挟着手段等によって着脱自在に取付けると、錘の取付けによってスカーフ本体の隅角部が損傷し、これらの錘を取り外すことによって通常のスカーフとして使用した場合には外観を損することになる。
【００１０】
本考案はこのような問題点に鑑みてなされたもので、その目的とするところは、首回りや肩部等に対して種々の形態でもって簡単且つ正確に装着し得ると共に着用中に形崩れが生じることなくその装着形態を保持して高級感に富んだ優れたファッション機能を発揮することができ、また、通常のスカーフとしても体裁よく着用することができるスカーフを提供するにある。
【課題を解決するための手段】
【００１１】
上記目的を達成するために本考案のスカーフは、請求項１に記載したように、方形状のスカーフ本体と、このスカーフ本体の四方隅角部における２つの隅角部に、該隅角部を結び付けることによって取り外し可能に取付けられた互いに係脱可能な留め金具とからなることを特徴とする。
【００１２】
このように構成したスカーフにおいて、請求項２に係る考案は、上記留め金具を、フックと、このフックを係脱自在に係合させる環体とから構成してなり、環体とフックのリング部とにスカーフ本体の二つの隅角部をそれぞれ紐状に収束して結び付けることにより取付けていることを特徴とする。
【００１３】
また、請求項３に係る考案は、上記環体とフックのリング部とにその隅角部から挿通するスカーフ本体の両側部におけるこれらの環体とフックのリング部からの引き出し長さを調節可能に形成していることを特徴する。
【考案の効果】
【００１４】
本考案のスカーフによれば、方形状のスカーフ本体と、このスカーフ本体における２つの隅角部に着脱自在に取付けられる互いに係脱可能な留め金具とから構成しているので、この留め金具をスカーフ本体の対角線上に対向する隅角部に取付けて両手で留め金具を左右方向に引っ張れば、スカーフ本体をその対角線を折り目として二等辺三角形状に簡単且つ正確に二つ折りすることができ、この状態にしてスカーフ本体を首回りに一巻き、或いは二重、三重に巻き付けて留め金具を係止させることにより、容易にスカーフを首回りに装着することができると共に留め金具によりその着用形態を確実に保持しておくことができ、高級感に富んだ体裁のよい外観を呈する着用を可能にすることができる。
【００１５】
さらに、対角線上の両隅角部に留め金具を取付けているこのスカーフ本体を頭部にその対角線からの折り目部分を前側にして被せると共にその両側隅角部を首回りに巻き付けたのち、留め金具を係止させれば、防寒用や日焼け防止用としても着用できる。
【００１６】
また、スカーフ本体の一辺における両端隅角部に上記留め金具を取付けておき、スカーフ本体を身体の正面で展開した状態にしてその一辺両側部を両肩から後方にかけ渡し、首の後部で留め金具を係止させることによりスカーフ本体をエプロン状に着用し、この上から上着を着用すれば、スカーフ本体がブラウス状を呈して胸元からその綺麗な色彩、模様を露出させることができ、優れたファッション性を発揮させることができる。
【００１７】
さらにまた、このスカーフ本体を腰に巻き付けてその留め金具を係止させれば、スカート状の着用形態としてのファッションを楽しむことができる。
【００１８】
その上、請求項２に係る考案によれば、上記留め金具は、フックと、このフックを係脱自在に係合させる環体とから構成してなり、スカーフ本体の二つの隅角部を紐状に収束して環体とフックのリング部とにそれぞれ結び付けることによりこれらの環体とフックとをスカーフ本体の隅角部に取付けるように構成しているので、スカーフ本体の生地を傷めることなく環体とフックとを取付けることができるばかりでなく、その取付け、取り外しが簡単に行えるものであり、この留め金具を装着していない場合には、通常のスカーフとして着用でき、装着した場合にはこの留め金具がアクセサリーの機能を奏して体裁のよい着用を行うことができる。
【００１９】
また、上記環体とフックのリング部とに隅角部から挿通するスカーフ本体のこれらの環体とフックのリング部からの引き出し長さを調節可能に形成しているので、このスカーフ本体を上記のように首回りや腰回り、或いは頭部に装着する際に、着用者の首回りや腰回り等の寸法に応じてそのスカーフ本体の対角線上で対向する両隅角部側、或いは一辺における隣接する両隅角部側にそれぞれ取付ける環体とフックとの間の長さを調節することができ、着用者に応じて体裁のよいファッション性に富んだ装着を可能にすることができるものである。
【００２０】
さらに、スカーフ本体の対角線上で対向する隅角部を留め金具の環体とフックのリング部とにそれぞれ挿通すると共にフックを環体に係止させることによりスカーフ本体をループ状に形成し、このスカーフ本体を首に掛けると共に環体とフックのリング部に挿通しているスカーフ本体の両隅角部をさらに所定長さ引き出して環体のフックとからそれぞれ垂下させれば、ネクタイ状の着用形態にすることができる。
【図面の簡単な説明】
【００２１】
【図１】本考案スカーフの斜視図。
【図２】スカーフ本体の二つの隅角部に取付けた留め金具の拡大正面図。
【図３】スカーフを二等辺三角形状に二つ折りした状態の正面図。
【図４】スカーフ本体を一巻き状の着用形態に形成した状態の正面図。
【図５】首回りに装着した状態の正面図。
【図６】スカーフ本体を二重巻き状の形態に形成する手順を示す正面図。
【図７】二重巻き状の形態にした状態の正面図。
【図８】首回りに装着した状態の正面図。
【図９】頭部に装着した状態の正面図。
【図１０】スカーフ本体の隣接する隅角部に留め金具を取付けた状態の斜視図。
【図１１】身体の正面に展開状態に装着した状態の正面図。
【図１２】上着を着用した状態の正面図。
【図１３】腰回りに着用した状態の正面図。
【図１４】ネクタイ状の形態に形成した状態の正面図。
【考案を実施するための形態】
【００２２】
次に、本考案の具体的な実施の形態を図面について説明すると、図１において、１は方形状（正方形状）に形成されているスカーフ本体で、絹、綿等の天然繊維、或いはポリエステル、レーヨン等の合成繊維の柔軟で薄い生地からなり、図示していないが全面に亘って適宜な図柄模様や色彩等をほどこしている。そして、このスカーフ本体１の対角線上で対向する両隅角部1a、1cを留め金具２によって連結可能に構成している。
【００２３】
留め金具２は図２に示すように、金属製の環体３と、この環体３に係脱自在に係合する金属製のフック４とからなり、フック４はその基端部に軸６を該フック４の延長方向に突設してあり、この軸６に金属製のリング部５の先端部を軸６の回りに回転自在に取付けている。これらの環体３とフック４のリング部５との内径（孔径）は、上記スカーフ本体１をその隅角部から中心部に向かって所望長さ、挿通可能な大きさである１〜２ｃｍ、好ましくは１．２ｃｍ位に形成されている。なお、フック４の開口部には、常態においては、フック４の開口部を内方から弾性的に閉止している抜け止め片７を内外方向に開閉自在に取付けている。
【００２４】
留め金具２の環体３をスカーフ本体１の一つの隅角部1aに取付けるには、この隅角部1aを紐状に収束するか、或いは、紙縒り状に収束させた状態にして該隅角部1aを環体３に結び付けることによって取り外し可能に取付けてあり、同様に、留め金具２のフック４をスカーフ本体１の上記隅角部1aに対して対角線上で対向する上記隅角部1cに取付けるには、この隅角部1cを紐状に収束するか、或いは、紙縒り状に収束させた状態にして、該隅角部1cをフック４のリング部５に結び付けることによって取り外し可能に取付けている。（図２参照）。
【００２５】
このように、スカーフ本体１の対角線上の両隅角部1a、1cにのみ留め金具２の環体３とフック４とをそれぞれ取付けてなるスカーフは、次に述べるように種々の形態にして着用することができる。
【００２６】
まず、スカーフ本体１の対角線上の両隅角部1a、1bに取付けている環体３とフック４とを両手で摘んで左右に引っ張ることにより、図３に示すように、対角線を折り目としてスカーフ本体１を折り目が底辺となる二等辺三角形状に二つ折りする。次いで、図４に示すように上記環体３にフック４を係止させることによってスカーフ本体１の上記両隅角部１ａ、1c間を連結して一巻状のループ形態にし、これを互いに連結している環体３とフック４側が首の後側となるように図５に示すように首に掛け渡すことにより、身体の前面側にこのループ形態のスカーフを垂下した状態に装着する。
【００２７】
また、スカーフ本体１の対角線上の両隅角部1a、1bに上記環体３とフック４とを取付けている上記スカーフを、図６、図７に示すように二重巻きのループ形態にし、これを図８に示すように首に掛け渡すことにより、身体の前面側にこのループ形態のスカーフを垂下した状態に装着する。なお、スカーフ本体１を首回りに一巻き状、或いは、二重巻き状に巻き付けたりする際に、予め、留め金具２である環体３とフック４とを結合させたのち、首回りに装着してもよく、或いは、首回りに一巻き、二巻き状に巻き付けたのち、留め金具２の環体３とフック４とを係止させてもよい。
【００２８】
さらに、スカーフ本体１の対角線上の両隅角部1a、1bに上記環体３とフック４とを取付ける際に、これらの環体３とフック４のリング部５に挿通したスカーフ本体１の隅角部1a、1cをそれぞれ環体３とフック４のリング部５とから所望長さだけ引き出すことによって環体３とフック４のリング部５との間のスカーフ本体１の対角線の長さを調節したのち、引き出した部分を環体３とフック４のリング部５とに結着しておいてもよく、このようにすれば、スカーフ本体１を上記のように一巻き、二巻き状に巻き付けた際のループの大きさを着用者に適合した大きさに形成することができる。
【００２９】
図９はスカーフ本体１の上記対角線上の両隅角部1a、1cに留め金具２である環体３とフック４とをそれぞれ取付けてなるスカーフの別な使用形態を示すもので、図３に示すように、対角線を折り目としてスカーフ本体１を折り目が底辺となる二等辺三角形状に二つ折りしたのち、この折り目部分の中央部を額の上方の頭部前面に当てがいながらスカーフ本体１を頭部に被せると共にスカーフ本体１の両側部を下方に折り曲げて両耳部を被覆しながら隅角部1a、1cを首に巻き付けたのち、環体３にフック４を係止されることによって頭部を被覆した形態としてあり、防寒用や日焼け防止用等として着用している。
【００３０】
図10はスカーフ本体１の一辺における隣接する隅角部、例えば、上記隅角部1aとこの隅角部1aに隣接する隅角部1bとにのみ上記留め金具２における環体３とフック４のリング部５とをそれぞれ取り外し可能に取付けてなるスカーフを示すもので、両側隅角部1a、1bに取付けている上記環体３とフック４とを左右に引っ張ってスカーフ本体１を身体の正面で上記一辺側が上端となるように展開させ、このスカーフ本体１の上端両側部を図11に示すように両肩から後方に掛け渡して首の後部で留め金具２の環体３とフック４とを係止させることにより、エプロン状に着用し、しかるのち、この上から図12に示すように、上着を着用すれば、上記スカーフ本体１を胸元から外部に露出するブラウス状の形態として使用することができる。
【００３１】
また、上記図10に示すようにスカーフ本体１の一辺における隣接する隅角部1a、1bに留め金具２の環体３とフック４とをそれぞれ取付けてなるスカーフを上記のようにその一辺側が上端となるよう展開させた状態にして図13に示すように腰に巻き付け、環体３とフック４とを連結すれば、スカート状の着用形態とすることができる。この場合も、上記のように、スカーフ本体１の一辺の両隅角部1a、1bに上記環体３とフック４とを取付ける際に、これらの環体３とフック４のリング部５に挿通したスカーフ本体１の隅角部1a、1bをそれぞれ環体３とフック４のリング部５とから所望長さだけ引き出すことによって環体３とフック４のリング部５との間のスカーフ本体１の長さを腰回りの寸法に応じて調節したのち、上記引き出しているスカーフ本体１の両側端部を環体３とフック４とに取り外し可能に結着し、しかるのち、腰に装着することが好ましい。
【００３２】
さらにまた、スカーフ本体１の対角線上で対向する上記両隅角部1a、1cを、上記のように、紐状、或いは紙縒り状に収束させた状態にしてこれらの隅角部1a、1cをそれぞれ上記環体３とフック４のリング部５とに挿通すると共に、これらの環体３とフック４のリング部５とからスカーフ本体１の両隅角部1a、1cに連なる対角線上の部分を所望長さだけ引き出し、この状態にしてスカーフ本体１を首回りに掛け渡したのち、環体３とフック４とを連結するか、或いは、環体３とフック４とを連結してスカーフ本体１をループ状に形成したのち首に掛け渡し、環体３とフック４のリング部５とからそれぞれ引き出しているスカーフ本体１の両側部の垂下長さを所望長さに調節することによって図14に示すようにネクタイ状の着用形態にすることができる。この際、環体３とフック４のリング部５とから引き出しているスカーフ本体１の両側部を環体３とフック４のリング部５とに結着しておいてもよい。
【符号の説明】
【００３３】
１    スカーフ本体
１a〜１b    隅角部
２    留め金具
３    環体
４    フック
５    リング部
【図１】
0003168870.tif 000003
【図２】
0003168870.tif 000004
【図３】
0003168870.tif 000005
【図４】
0003168870.tif 000006
【図５】
0003168870.tif 000007
【図６】
0003168870.tif 000008
【図７】
0003168870.tif 000009
【図８】
0003168870.tif 000010
【図９】
0003168870.tif 000011
【図１０】
0003168870.tif 000012
【図１１】
0003168870.tif 000013
【図１２】
0003168870.tif 000014
【図１３】
0003168870.tif 000015
【図１４】
0003168870.tif 000016